(57)【要約】【課題】  生産コストを上げることなく用紙載置板の衝撃を和らげて消音の図られるプリンタ装置を提供する。【解決手段】  プリンタ装置には用紙を載置するための用紙載置板２の上方に、給紙ローラ６とフリクションパッド５が配設されている。給紙ローラ６は所定の軸部４に装着されている。用紙載置板２の下方にはばね８が配設されている。給紙ローラ６の回転に合わせ、ばね８の付勢力を利用して用紙載置板２を持ち上げるために、軸部４には階段状部分１０ｂを含むカム１０が装着されている。用紙載置板２には、カム１０と当接するカム当接部１２が設けられている。カム１０はたとえば樹脂から形成されている。カム１０には、カム１０が回転しカム当接部１２に当接した状態から開放されて用紙載置板２が持ち上げられる際の衝撃を和らげるために所定の肉抜き部１０ａが設けられている。【選択図】        図１
2006021920.tif 000002
【特許請求の範囲】
【請求項１】
画像が印画される用紙を載置するための用紙載置板部と、
前記用紙載置部の上方に配置された所定の軸部と、
前記軸部に設けられ、用紙を送り出すための給紙ローラと、
前記用紙載置板部を前記給紙ローラに向かって付勢するための付勢部材と、
前記軸部に設けられたカムと、
前記用紙載置板部に設けられ、前記カムに当接するカム当接部と
を有し、
前記カムは、樹脂から形成されて、前記用紙載置板部が持ち上げられた時点で前記カム当接部が当接する前記カムの部分に弾性力をもたせるための肉抜き部を備えた、プリンタ装置。
【請求項２】
画像が印画される用紙を載置するための用紙載置板部と、
前記用紙載置板部を上方に向かって付勢するための付勢部材と、
前記用紙載置板部と当接し、用紙を送り出す際に前記付勢部材の付勢力によって前記用紙載置板部を持ち上げるためのカムと
を有し、
前記カムおよび前記用紙載置板部における前記カムと当接する部分の少なくともいずれかは、前記用紙載置板部が持ち上げられた時点で互いに当接する部分に弾性部を備えた、プリンタ装置。
【請求項３】
前記カムは樹脂から形成されて、くり抜かれた肉抜き部を有し、
前記弾性部は、前記肉抜き部および前記肉抜き部を周方向から取囲む前記カムの周部を含む、請求項２記載のプリンタ装置。
【請求項４】
前記カムの前記周部は、前記肉抜き部が周方向に閉じられるように連続して形成された、請求項３記載のプリンタ装置。
【請求項５】
前記カムの前記周部には、前記肉抜き部が周方向に閉じられないように周方向一方側に切断部が形成された、請求項３記載のプリンタ装置。
【請求項６】
前記弾性部は、前記カムの外周部に設けた弾性部材を含む、請求項２記載のプリンタ装置。
【請求項７】
前記用紙載置板部における前記カムと当接する部分は樹脂から形成されて、くり抜かれた肉抜き部を有し、
前記弾性部は、前記肉抜き部を周方向から取囲む前記カム当接部の部分を含む、請求項２記載のプリンタ装置。
【発明の詳細な説明】
【技術分野】
【０００１】
本発明はプリンタ装置に関し、消音の図られるプリンタ装置に関するものである。
【背景技術】
【０００２】
プリンタ装置として、給紙ローラとフリクションパッドにより用紙を１枚ずつ分離して給紙する給紙機構を備えたプリンタ装置がある。そのようなプリンタ装置の一例として特許文献１に提案されているプリンタ装置について説明する。この種のプリンタ装置では、図１０に示すように、プリンタ装置には用紙を載置するための用紙載置板１０２の上方に、給紙ローラ１０６とフリクションパッド１０５が配設されている。給紙ローラ１０６は所定の軸部１０４に装着されている。
【０００３】
用紙載置板１０２の下方には用紙載置板１０２を上方に向かって付勢するためのばね１０８が配設されている。給紙ローラ１０６の回転に合わせ、ばね１０８の付勢力を利用して用紙載置板１０２を持ち上げるために、軸部１０４にはカム１１０が装着され、用紙載置板１０２にはカム１１０と当接するカム当接部１１２が設けられている。
【０００４】
このプリンタ装置では、図１０に示されるカム１１０がカム当接部１１２と当接する状態から、図１１に示すように、矢印１３１に示す方向に回転してカム１１０がカム当接部１１２に当接した状態から開放されることで用紙載置板１０２が持ち上げられて、用紙１０３が給紙ローラ１０６とフリクションパッド１０５によって送り出されることになる。このとき、用紙載置板１０２が急に持ち上げられることによる衝撃を和らげて消音するために、たとえば板ばねなどの弾性部材１１３がカム１１０と隣接して軸部１０４に装着されている。従来のプリンタ装置における給紙機構は上記の構成されている。
【特許文献１】特開２００３-２２１１３２号公報
【発明の開示】
【発明が解決しようとする課題】
【０００５】
しかしながら、従来のプリンタ装置では次のような問題点があった。上述したように、用紙載置板１０２が急に持ち上げられることによる衝撃を和らげて消音するために、弾性部材１１３として板ばねなどの付加的な部材が必要とされた。しかも、そのような付加的な弾性部材１１３をカム１１０に隣接させて軸部１０４に取付ける必要があった。そのため、部品点数の増加とともに組立て工数が増えて生産コストの削減を阻害する要因となった。
【０００６】
本発明は上記問題点を解決するためになされたものであり、その目的は生産コストを上げることなく用紙載置板の衝撃を和らげて消音の図られるプリンタ装置を提供することである。
【課題を解決するための手段】
【０００７】
本発明に係るプリンタ装置は、用紙載置板部と所定の軸部と給紙ローラと付勢部材とカムとカム当接部を有している。用紙載置板部は、画像が印画される用紙を載置する。所定の軸部は用紙載置部の上方に配置されている。給紙ローラは用紙を送り出すために軸部に設けられている。付勢手段は用紙載置板部を給紙ローラに向かって付勢する。カムは軸部に設けられている。カム当接部は用紙載置板部に設けられ、カムに当接する。そのカムは、樹脂から形成されて、用紙載置板部が持ち上げられた時点でカム当接部が当接するカムの部分に弾性力をもたせるための肉抜き部を備えている。
【０００８】
この構成によれば、用紙を送り出すために用紙載置板部が持ち上げられた時点でカム当接部が当接するカムの部分に肉抜き部を備えている。これにより、樹脂から形成されたカムでは、肉抜き部とその肉抜き部を外周から取囲む径方向の厚さが薄いカムの周部が緩衝部材としての機能を果たすことになる。その結果、板ばねのような付加的な部材を用いることなく、カムそのものによって、カム当接部が再びカムに当接する際の衝撃を和らげてプリンタ装置の消音を図ることができる。
【０００９】
本発明に係る他のプリンタ装置は、用紙載置板部と付勢部材とカムとを有している。用紙載置板部は画像が印画される用紙を載置する。付勢部材は用紙載置板部を上方に向かって付勢する。カムは用紙載置板部と当接し、用紙を送り出す際に付勢部材の付勢力によって用紙載置板部を持ち上げる。そのカムおよび用紙載置板部におけるカムと当接する部分の少なくともいずれかは、用紙載置板部が持ち上げられた時点で互いに当接する部分に弾性部を備えている。
【００１０】
この構成によれば、カムおよび用紙載置板部におけるカムと当接する部分の少なくともいずれかは、用紙を送り出すために用紙載置板部が持ち上げられた時点で互いに当接する部分に弾性部を備えている。これにより、板ばねのような付加的な部材を用いることなく、カムそのものまたは用紙載置板部そのものによって、カム当接部が再びカムに当接する際の衝撃を和らげてプリンタ装置の消音を図ることができる。
【００１１】
そのような弾性部の一態様として、カムは樹脂から形成されてくり抜かれた肉抜き部を有し、弾性部は、その肉抜き部とその肉抜き部を周方向から取囲むカムの周部を含む態様がある。
【００１２】
また、このように弾性部がカムの側に形成される場合には、そのカムの周部は、肉抜き部が周方向に閉じられるように連続して形成されていてもよい。あるいは、カムの周部には、肉抜き部が周方向に閉じられないように周方向一方側に切断部が形成されていてもよい。さらに、弾性部は、カムの外周部に設けた弾性部材を含んでいてもよい。
【００１３】
また、弾性部の他の態様として、用紙載置板部におけるカムと当接する部分は樹脂から形成されてくり抜かれた肉抜き部を有し、弾性部は、その肉抜き部を周方向から取囲むカム当接部の部分を含む態様のものであってもよい。
【００１４】
このような場合にも、板ばねのような付加的な部材を用いることなく、用紙載置板部そのものによって、カム当接部が再びカムに当接する際の衝撃を和らげてプリンタ装置の消音を図ることができる。
【発明を実施するための最良の形態】
【００１５】
本発明の実施の形態に係るプリンタ装置の給紙機構について説明する。図１に示すように、プリンタ装置には、画像が印画される用紙を載置するための用紙載置板２が配設されている。その用紙載置板２の上方に、給紙ローラ６とフリクションパッド５が配設されている。給紙ローラ６は所定の軸部４に装着されている。給紙ローラ６の周面には、用紙を確実に捕えて送り出すためにたとえばゴム６ａが形成されている。
【００１６】
用紙載置板２の下方には用紙載置板２を上方に向かって付勢するためのばね８が配設されている。給紙ローラ６の回転に合わせ、ばね８の付勢力を利用して用紙載置板２を持ち上げるために、軸部４には階段状部分１０ｂを含むカム１０が装着されている。一方、用紙載置板２にはカム１０と当接するカム当接部１２が設けられている。カム１０はたとえば樹脂から形成されている。
【００１７】
後述するように、そのカム１０には、カム１０が回転しカム当接部１２に当接した状態から開放されて用紙載置板２が持ち上げられる際の衝撃を和らげるために所定の肉抜き部１０ａが設けられている。図２に示すように、用紙載置板２が持ち上げられた状態で、用紙３が給紙ローラ６とフリクションパッド５によって送り出されることになる。
【００１８】
次に、上述したプリンタ装置の給紙機構の動作について説明する。まず、スタンバイの状態から給紙動作を開始すると、図３に示すように、軸部４とともにカム１０が矢印３１に示す方向に回転を始める。カム１０が回転を続けて、図４に示すように、カム１０の階段状部分１０ｂがカム当接部１２に当接する。
【００１９】
さらにカム１０の回転が進むと、カム当接部１２は階段状部分１０ｂによって上方から押えられた状態から開放されて、ばね８の付勢力により持ち上げられて再びカム１０に当接することになる。このとき、カム当接部１２はカム１０において肉抜き部１０ａが形成されている領域の周部１０ｃに当接する。
【００２０】
この用紙載置板２が持ち上げられた状態で、図２に示すように、給紙ローラ６によって用紙載置板２に載置された用紙が送り出される。以下、上述した動作を繰り返すことによって用紙載置板２に載置された用紙が１枚ずつ送り出されることになる。
【００２１】
上述したプリンタ装置の給紙機構では、カム当接部１２がカム１０の階段状部分１０ｂによって上方から押えられた状態から開放された後に、ばね８の付勢力によって用紙載置板２が持ち上げられることで用紙の送り出し動作が行なわれる。そのカム１０では、図５および図６に示すように、用紙載置板２が持ち上げられる際にカム当接部１２が再びカム１０に当接する部分に肉抜き部１０ａが設けられている。
【００２２】
これにより、樹脂から形成されたカム１０では、肉抜き部１０ａとその肉抜き部１０ａを外周から取囲む径方向の厚さが薄いカムの周部１０ｃが緩衝部材としての機能を果たすことになる。その結果、板ばねのような付加的な部材を用いることなく、カム１０そのものによって、カム当接部１２が再びカム１０に当接する際の衝撃を和らげてプリンタ装置の消音を図ることができる。
【００２３】
なお、カムとしては肉抜き部が周方向から閉じられるように周部が形成された図６に示すされるカムの他に、図７に示すように、肉抜き部１０ａが周方向に閉じられないように、肉抜き部１０ａを外周から取囲むカムの周部１０ｃと階段状部分１０ｂとの間に切断部１０ｄを設けたカムであってもよい。このような切断部１０ｄがあることでカムの周部１０ｃはカム本体の一方だけに支持されていることになって、より効果的に緩衝を和らげることができる。また、図８に示すように、カム当接部１２と当接するカム１０の表面に部分に、たとえばゴムなどの弾性部材１０ｅを装着したカム１０を用いてもよい。
【００２４】
また、一方、カムに肉抜き部を設ける代わりに、図９に示すように、カム当接部１２に肉抜き部１２ａを設けるようにしてもよい。この場合においても、肉抜き部１２ａを設けたカム当接部１２が緩衝部材としての機能を果たして、板ばねのような付加的な部材を用いることなく、カム当接部１２そのものによって、カム当接部１２が再びカム１０に当接する際の衝撃を和らげてプリンタ装置の消音を図ることができる。
【００２５】
なお、今回開示された実施の形態はすべての点で例示であって制限的なものではないと考えられるべきである。本発明は上記で説明した範囲ではなく、特許請求の範囲によって示され、特許請求の範囲と均等の意味および範囲でのすべての変更が含まれることが意図される。
【図面の簡単な説明】
【００２６】
【図１】本発明の実施の形態に係るプリンタ装置における給紙機構を示す斜視図である。
【図２】同実施の形態において、給紙を行なう状態を示す側面図である。
【図３】同実施の形態において、プリンタ装置における給紙の動作を説明するための一状態を示す側面図である。
【図４】同実施の形態において、図３に示す状態の後の状態を示す側面図である。
【図５】同実施の形態において、図４に示す状態の後の状態を示す側面図である。
【図６】同実施の形態において、プリンタ装置に適用されるカムの一例を示す側面図である。
【図７】同実施の形態において、プリンタ装置に適用されるカムの他の例を示す側面図である。
【図８】同実施の形態において、プリンタ装置に適用されるカムのさらに他の例を示す側面図である。
【図９】同実施の形態において、プリンタ装置に適用されるカム当接部の一例を示す側面図である。
【図１０】従来のプリンタ装置における給紙機構を示す斜視図である。
【図１１】従来のプリンタ装置において、給紙を行なう状態を示す側面図である。
【符号の説明】
【００２７】
２  用紙載置板、３  用紙、４  軸部、５  フリクションパッド、６  給紙ローラ、６ａ  ゴム、８  ばね、１０  カム、１０ａ  肉抜き部、１０ｂ  階段状部分、１０ｃ  周部、１０ｅ  弾性部材、１２  カム当接部、１２ａ  肉抜き部。
【図１】
2006021920.tif 000003
【図２】
2006021920.tif 000004
【図３】
2006021920.tif 000005
【図４】
2006021920.tif 000006
【図５】
2006021920.tif 000007
【図６】
2006021920.tif 000008
【図７】
2006021920.tif 000009
【図８】
2006021920.tif 000010
【図９】
2006021920.tif 000011
【図１０】
2006021920.tif 000012
【図１１】
2006021920.tif 000013